(57)【要約】【課題】  ビンディング等の取付具の固定位置においても板が自然にしなるように可動する雪上滑走具用可動プレートを提供することにある。【解決手段】  可動プレート１は、ビンディングの固定プレート２８を固定する基板２と、基板２の裏面側に設置された可動部９，１０とを備えている。可動部９，１０は、基板２の表裏方向に回動可能な回動端部１５，１６と、回動端部１５，１６を支持する軸体部１３，１４を有している。回動端部１５，１６には、スノーボード２５が固定される。この可動プレート１においては、旋回するときにスノーボード２５がしなって湾曲すると、回動端部１５，１６がその湾曲に従って裏方向に回動する。これにより、スノーボード２５はそのしなりが阻害されることがなく、自然に湾曲して安定した状態で滑走することができる。【選択図】  図８
2011036513.tif 000002
【特許請求の範囲】
【請求項１】
ビンディング等の取付具が固定される基板と、
該基板の裏面側に設置され、前記基板の表裏方向に回動可能な回動端部を有し、該回動端部が雪上滑走具に固定される可動部と、
を備えることを特徴とする雪上滑走具用可動プレート。
【請求項２】
前記可動部は、前記雪上滑走具の長手方向に少なくとも一対併設され、互いの回動端部が相対するように設置されていることを特徴とする請求項１記載の雪上滑走具用可動プレート。
【請求項３】
前記可動部は、前記回動端部を回動自在に支持する軸体部を有し、前記回動端部は前記軸体部に前記雪上滑走具の長手方向に伸縮可能に取り付けられていることを特徴とする請求項１又は２記載の雪上滑走具用可動プレート。
【請求項４】
前記基板には、前記雪上滑走具の長手方向にある端部裏面に、前記雪上滑走具に当接して伸縮する弾性プレートが取り付けられていることを特徴とする請求項１乃至３の一つに記載の雪上滑走具用可動プレート。
【請求項５】
前記基板の裏面には、該基板と前記雪上滑走具との間に雪が侵入することを防ぐプロテクタが設けられていることを特徴とする請求項１乃至４の一つに記載の雪上滑走具用可動プレート。
【発明の詳細な説明】
【技術分野】
【０００１】
本発明は、スノーボード、スキー、スノースクート等の雪上滑走具において、ビンディング等の取付具と板との間に取り付けるプレートに関するものであり、特に、板のしなりに応じて可動する可動プレートに関する。
【背景技術】
【０００２】
一般に、スノーボードやスキーに代表される雪上滑走具においては、その板に大きな衝撃が加わるため強度を高くすると共に、滑走の安定性を高めるため適度にしなるように構成することが必要とされている。そこで、板の材質に強度の高いものを使用したり、複数の材料を積層化することで良好な強度としなりを確保すること等が行われている。しかしながら、このスノーボード、スキー等の板には、靴を取り付けるためのビンディングあるいはスノースクートのフレーム等を取り付けるための金具等からなる取付具が固定され、この取付具が板のしなりに大きな影響を与えることが知られている。上記ビンディングや金具等の取付具は、通常、金属板で構成されており、これを板にネジ等を用いて固定すると、この取付具によって板のしなりが阻害され、滑走安定性が低下したり、取付具近傍に衝撃や滑走時の力が集中して破損することがあった。
【０００３】
従来、板のビンディング取付部分に、弾性を有する復元力補助ブロックを備えたプラットフォームを取り付けて、板のしなり等の抑制と復元の補助を行う装置を設けることが知られている（例えば、特許文献１参照）。この装置を設けることで、板のしなりを制御することができ、ビンディング等の取付具による悪影響を防ぐことも期待されたが、ビンディング等の取付具を取り付けると、この取付具によりプラットフォームの動作が抑制され、結局、板のしなりも期待するように得ることはできないという問題があった。
【０００４】
また、板に固定される主部材に、板の長手方向に摺動する摺動部材を連結し、この摺動部材の摺動と弾性圧迫により、板の撓みを制御して剛性を制御する装置も知られている（例えば、特許文献２参照）。この装置を用いることで、ビンディング等の取付具と板との間で板のしなりを制御することが期待されたが、板の長手方向の摺動部材を摺動させるだけでは、板のしなりによる表裏方向への湾曲を十分に制御することはできないという問題があった。
【先行技術文献】
【特許文献】
【０００５】
【特許文献１】特開２０００−６１０２２号公報
【特許文献２】特開平５−１８４７０４号公報
【発明の概要】
【発明が解決しようとする課題】
【０００６】
本発明が解決しようとする課題は、上記従来技術の問題点を解決し、ビンディング等の取付具の固定位置、ひいては板全体が自然にしなるように可動する雪上滑走具用可動プレートを提供することにある。
【課題を解決するための手段】
【０００７】
本発明の雪上滑走具用可動プレートは、ビンディング等の取付具が固定される基板と、該基板の裏面側に設置され、前記基板の表裏方向に回動可能な回動端部を有し、該回動端部が雪上滑走具に固定される可動部と、を備えるものである。この雪上滑走具用可動プレートにおける前記可動部は、前記雪上滑走具の長手方向に少なくとも一対併設され、互いの回動端部が相対するように設置されている。また、前記可動部は、前記回動端部を回動自在に支持する軸体部を有し、前記回動端部は前記軸体部に前記雪上滑走具の長手方向に伸縮可能に取り付けられている。
【０００８】
また、上記雪上滑走具用可動プレートにおける前記基板には、前記雪上滑走具の長手方向にある端部裏面に、前記雪上滑走具に当接して伸縮する弾性プレートが取り付けられている。
【０００９】
また、上記雪上滑走具用可動プレートにおける前記基板の裏面には、該基板と前記雪上滑走具との間に雪が侵入することを防ぐプロテクタが設けられている。
【発明の効果】
【００１０】
本発明の雪上滑走具用可動プレートは、ビンディング等の取付具が固定される基板と、基板の表裏方向に回動可能な回動端部を有する可動部と、を備えている。この可動部は、基板の裏面側に設置され、その回動端部がスノーボード、スキー等の雪上滑走具に固定される。これにより、本発明の雪上滑走具用可動プレートは、ビンディング等の取付具とスノーボード等の雪上滑走具との間に、回動する可動部が介在するように設置されることになる。このため、スノーボード等の雪上滑走具がしなると可動部の回動端部がそれに応じて回動し、スノーボード等の雪上滑走具は自然にしなることができるようになる。従って、ビンディング等の取付具によるスノーボード等のしなりの阻害を防ぐことができ、雪上滑走性能を高めると共に破損を防ぐことができる。
【００１１】
また、可動部は、回動端部を回動自在に支持する軸体部を有している。回動端部は、この軸体部に伸縮可能に取り付けられており、雪上滑走具のしなりに対して回動するだけでなく、その長手方向にも伸縮することで更に無理なく雪上滑走具のしなりを許容するものとなっている。このため、本発明の雪上滑走具用可動プレートによれば、極めて自然な雪上滑走具のしなりを実現することができる。
【図面の簡単な説明】
【００１２】
【図１】本発明の一実施例に係る雪上滑走具用可動プレートの表面側を示す平面図である。
【図２】図１に示す雪上滑走具用可動プレートの裏面側を示す底面図である。
【図３】図１に示す雪上滑走具用可動プレートの表面側を示す斜視図である。
【図４】図１に示す雪上滑走具用可動プレートの裏面側を示す斜視図である。
【図５】図１に示す雪上滑走具用可動プレートの回動端部等の動作状態を示す斜視図である。
【図６】図１に示す雪上滑走具用可動プレートをスノーボードに取り付けた状態を示す平面図である。
【図７】図６に示す雪上滑走具用可動プレートのＡ−Ａ断面図である。
【図８】図７に示すスノーボードがしなった時の回動端部の動作状態を示す要部断面図である。
【図９】図７に示すスノーボードがしなった時の弾性プレートの収縮状態を示す要部断面図である。
【発明を実施するための形態】
【００１３】
本発明の雪上滑走具用可動プレートは、ビンディング等を固定する基板と、この基板の裏面側に設置された可動部とを備えている。この可動部は、基板の表裏方向に回動可能な回動端部と、この回動端部を支持する軸体部を有している。この回動端部には、スノーボード等が固定される。
【００１４】
この雪上滑走具可動プレートにおいては、旋回するときにスノーボード等がしなって湾曲すると、回動端部がその湾曲に従って裏方向に回動する。これにより、スノーボード等はそのしなりが阻害されることがなく、自然に湾曲して安定した状態で滑走することができる。また、ビンディング等によってスノーボード等のしなりが阻害されないので、ビンディング周辺に衝撃等が集中することがなくなり、衝撃による破損も防ぐことができる。
【実施例】
【００１５】
図１乃至図４は本発明の一実施例に係る雪上滑走具用可動プレートの表面を示す平面図、裏面を示す底面図、表面側斜視図及び裏面側斜視図である。１は本実施例の可動プレートである。２は金属板からなる基板であり、略矩形をなし、スノーボード、スキー等の長手方向（図１及び２中の上下方向）に対応する端辺に比較的大きく深い略Ｖ字形の凹部２ａ，２ｂが設けられ、スノーボード、スキー等の短手方向（図１及び２中の左右方向）に対応する端辺に比較的浅い凹部２ｃ，２ｄが設けられている。可動プレート１は、スノーボード、スキー等の雪上滑走具に取り付ける際に、その取付方向が決まっているため、凹部２ａ，２ｂと凹部２ｃ，２ｄの形状を変えることで、その取付方向を一目で見分けられるように構成している。
【００１６】
また、基板２には、その中央付近に、ビンディングの固定プレートやスノースクートのフレーム等の取付具をネジで固定する取付部３，４が設けられている。本実施例における取付部３，４は各一対のネジ孔からなり、十分な深さのネジ孔を形成するために基板２の裏面にネジ孔３，４にそれぞれ対応する金属製のブロック５，６がネジ７，８により基板２の表面側から固定されている。
【００１７】
９，１０は基板２の裏面側に設置されてスノーボード、スキー等の雪上滑走具が取り付けられる可動部である。この可動部９，１０は、それぞれ基板２の裏面側に固定された各一対の支持ブロック１１，１２と、この支持ブロック１１，１２によりそれぞれ回動自在に支持された軸体部１３，１４と、この軸体部１３，１４によりそれぞれ回動自在に支持された回動端部１５，１６と、を備えている。支持ブロック１１，１２は、細長い角柱形状をなし、それぞれスノーボード、スキー等の長手方向にある基板２の端部付近に一対ずつ配置されている。また、この支持ブロック１１，１２は、ぞれぞれスノーボード、スキー等の短手方向に軸体部１３，１４が収まる間隔をあけて並び、ネジ１７，１８により基板２の表面側から固定されている。軸体部１３，１４は、細長い角柱形状をなし、それぞれ支持ブロック１１，１２の間に収められている。この軸体部１３，１４の支持ブロック１１，１２にそれぞれ面する端面には軸部１３ａ，１４ａが設けられており、この軸部１３ａ，１４ａにより支持ブロック１１，１２に回動自在に軸着されている。回動端部１５，１６は、それぞれ軸体部１３，１４から基板２の中央に向かって突出するように設けられ、軸体部１３，１４により支持されて、基板２の表裏方向に回動するものとなっている。
【００１８】
また、この回動端部１５，１６は、その両方又は一方が軸体部１３，１４に対して摺動することで、スノーボード、スキー等の略長手方向に伸縮可能となっている。本実施例においては、回動端部１５のみが伸縮可能となるように構成されている。即ち、軸体部１３の端面に２本の軸１３ｂ，１３ｃを植設し、回動端部１５にその軸１３ｂ，１３ｃに対応する孔１５ｂ，１５ｃを設けて、軸１３ｂ，１３ｃを孔１５ｂ，１５ｃに挿入することで、回動端部１５は伸縮可能に軸体部１３に取り付けられている。尚、本実施例における回動端部１６は、軸体部１４に一体に形成されている。
【００１９】
また、回動端部１５，１６には、スノーボード、スキー等の雪上滑走具に固定するためのネジ等を螺合又は挿通するための取付孔２１，２２が設けられている。また、基板２には、この取付孔２１，２２に対応する位置に、貫通孔２３，２４が設けられている。
【００２０】
１９はブチルゴム等の弾性材からなる弾性プレートであり、基板２におけるスノーボード等の長手方向の端部裏面に固着されている。本実施例における基板２の端部には、凹部２ａが設けられているので、この凹部２ａを挟むように端部裏面の角部に配置されている。
【００２１】
２０は可動部９，１０周辺への雪の侵入を防ぐプロテクタであり、スポンジ等で形成されている。このプロテクタ２０は、細長い角柱形状をなすものであり、支持ブロック１１，１２の間に架け渡されるように基板２の裏面に固着されている。
【００２２】
図５は上記構成からなる可動プレート１の可動部９，１０の動作状態を示す斜視図である。図５に示すように、可動部９，１０の回動端部１５，１６は、軸体部１３，１４を回動の中心として基板２の表裏方向に回動する。この回動端部１５，１６が回動する範囲は、スノーボード、スキー等の雪上滑走具が破損することなく湾曲したときの状態を限界として設定されている。
【００２３】
また、本実施例における回動端部１５は、上述したように回動するだけでなく、雪上滑走具の長手方向（軸体部１３から回動端部１５が突出する方向）に伸縮する。この回動端部１５の伸縮範囲も、スノーボード、スキー等の雪上滑走具が湾曲する範囲に相応する範囲に設定されている。なお、本実施例においては、ブロック５により回動端部１５の延伸が規制されており、運送中等に回動端部１５が軸体部１３から抜脱することを防いでいる。
【００２４】
次に、上記構成からなる可動プレート１を雪上滑走具としてのスノーボードに取り付けた場合の状態及び動作を、図６乃至図９を用いて説明する。図６及び図７に示すように、スノーボード２５の２ヵ所のビンディング取付位置に、それぞれ可動プレート１がその凹部２ａ，２ｂが、スノーボード２５の長手方向を向くように方向付けて載置されて、取り付けられる。スノーボード２５上に可動プレート１を載置すると、弾性プレート１９がスノーボード２５の表面に密着して安定した状態となる。このときに、スノーボード２５のビンディング取付位置に設けられたネジ孔からなる取付孔２５ａ，２５ｂに、回動端部１５，１６の取付孔２１，２２が連通するように位置付けられる。そして、基板２の貫通孔２３，２４からネジ２６，２７を挿入し、取付孔２１，２２と取付孔２５ａ，２５ｂに螺合することで、回動端部１５，１６をスノーボード２５に固定する。
【００２５】
上記のようにスノーボード２５の表面に可動プレート１を取り付けた後、この可動プレート１の基板２の中央にビンディングの固定プレート２８を載せ、ネジ２９，３０を取付部３，４に螺合することで、固定プレート２８を基板２の表面に固定する。
【００２６】
上記のようにスノーボード２５に可動プレート１を取り付けて雪上を滑走すると、図８に示すように、旋回時等に最も荷重が加わるスノーボード２５のビンディングの固定プレート２８付近が、その裏面側に向かって凸状に湾曲する。このときに、スノーボード２５に固定されている回動端部１５，１６は、スノーボード２５の湾曲に従って回動する。図８においては、回動端部１５が軸体部１３を回転中心として時計方向に回転し、回動端部１６が軸体部１４を回転中心として反時計方向に回転する。
【００２７】
また、上記のようにスノーボード２５が湾曲すると、このときの長手方向の変形が作用して、スノーボード２５の凸状に湾曲する部分の中央に向かって、回動端部１５，１６は引き寄せられる。このような長手方向の変形に対して回動端部１５，１６が対抗すると、スノーボード２５の自然なしなりに少なからず悪影響を与えることになる。そこで、本実施例においては、回動端部１５が軸体部１３の軸１３ｂ，１３ｃに沿って摺動するように構成している。このように回動端部１５が摺動すると、その全長（回転中心からスノーボード２５に固定した部分までの長さ）が延伸し、スノーボード２５の湾曲によって生じる長手方向の変形を逃がして、スノーボード２５の自然なしなりを実現することができる。
【００２８】
なお、本実施例においては、２つの回動端部１５，１６のうち回動端部１５だけが伸縮するように構成しているが、回動端部１５，１６の両方とも伸縮するように構成しても良い。但し、両方とも伸縮するように構成すると、スノーボード２５の長手方向にガタが生じることもあるので、一方だけが伸縮するように構成する方が好ましい。
【００２９】
また、図９に示すように、基板２とスノーボード２５との間に挟まれている弾性プレート１９は、スノーボード２５の湾曲により、基板２とスノーボード２５との間で圧縮されて収縮する。また、この弾性プレート１９は、その弾性により、スノーボード２５の長手方向にも伸縮可能であり、スノーボード２５の湾曲による長手方向への変形にも追従することができる。この結果、スノーボード２５の自然なしなりを阻害することなく、基板２をスノーボード２５に安定した状態で載置することができる。
【００３０】
なお、本発明は上記の実施例に限られることなく、本発明の要旨を変更しない範囲で種々変更可能であり、例えばスノーボードと同様に雪面上を滑走するスキーやスノースクート等にも本発明の可動プレートを適用することができる。
【符号の説明】
【００３１】
１          可動プレート
２          基板
２ａ，２ｂ  凹部
２ｃ，２ｄ  凹部
３，４      取付部
５，６      ブロック
７，８      ネジ
９，１０    可動部
１１，１２  支持ブロック
１３，１４  軸体部
１３ａ，１４ａ  軸部
１３ｂ，１３ｃ  軸
１５，１６  回動端部
１５ｂ，１５ｃ  孔
１７，１８  ネジ
１９        弾性プレート
２０        プロテクタ
２１，２２  取付孔
２３，２４  貫通孔
２５        スノーボード
２５ａ，２５ｂ  取付孔
２６，２７  ネジ
２８        ビンディングの固定プレート
２９，３０  ネジ
【図１】
2011036513.tif 000003
【図２】
2011036513.tif 000004
【図３】
2011036513.tif 000005
【図４】
2011036513.tif 000006
【図５】
2011036513.tif 000007
【図６】
2011036513.tif 000008
【図７】
2011036513.tif 000009
【図８】
2011036513.tif 000010
【図９】
2011036513.tif 000011